(57)【要約】【課題】駆動体を駆動させる励磁モータの発熱を抑制すると共に、駆動体を停止保持する際に駆動体が自重や振動等で停止位置から動いてしまうことを抑制することを目的とする。【解決手段】遊技状態に応じて励磁モータで回転やスライドなどの駆動が可能な駆動体８１と、励磁モータの駆動制御を行う駆動制御手段とを備える遊技機１において、駆動制御手段は、駆動体８１を変位（回転やスライドなど）させる変位状態時と駆動体８１を一定位置で保持する保持状態時との何れにおいても励磁モータに電流を供給し、励磁モータに供給する電流を少なくとも保持状態時で小とする構成にした。【選択図】図１
2019017792.tif 000002
【特許請求の範囲】
【請求項１】
駆動可能な駆動体と、前記駆動体を駆動させる励磁モータと、前記励磁モータの駆動制御を行う駆動制御手段とを備える遊技機において、
前記駆動制御手段は、前記駆動体を変位させる変位状態時と前記駆動体を一定位置で保持する保持状態時との何れにおいても前記励磁モータに電流を供給し、前記励磁モータに供給する電流を少なくとも前記保持状態時で小とすることを特徴とする遊技機。
【請求項２】
駆動可能な駆動体と、前記駆動体を駆動させる励磁モータと、前記励磁モータの駆動制御を行う駆動制御手段とを備える遊技機において、
前記駆動制御手段は、前記駆動体を変位させる変位状態時と前記駆動体を一定位置で保持する保持状態時の何れにおいても前記励磁モータに電流を供給し、前記励磁モータに供給する電流を前記変位状態時よりも前記保持状態時で小とすることを特徴とする遊技機。
【請求項３】
前記駆動制御手段は、制御信号のレベル状態によって前記励磁モータへの電流の大小を設定することを特徴とする請求項１または２に記載された遊技機。
【請求項４】
前記駆動制御手段は、制御信号のｆ１乃至ｆ４の入力部を備え、前記制御信号ｆ１乃至ｆ４のレベル状態の組み合わせによって、前記励磁モータへの電流の大小を設定することを特徴とする請求項１または２に記載の遊技機。
【請求項５】
前記制御信号ｆ１の入力部とｆ２の入力部は、正転側合流部を経て前記励磁モータの正転側電流接続部と接続され、
前記正転側合流部から前記励磁モータの正転側電流接続部までの経路には、抵抗Ｒ１を介してモータ用電源ＶＭが接続され、
前記制御信号ｆ１の入力部から前記正転側合流部までの経路には前記制御信号ｆ１がＨでＯＮとなる一方ＬでＯＦＦになる第１作動部材と、前記第１作動部材がＯＮの場合にＯＮとなる第２作動部材とが直列に設けられ、前記第２作動部材にはモータ用電源ＶＭが接続されて前記第２作動部材ＯＮにより前記モータ用電源ＶＭが前記正転側合流部を経て前記励磁モータの正転側電流接続部に供給されるように構成し、
前記制御信号ｆ２の入力部から前記正転側合流部までの経路には前記制御信号ｆ２がＨでＯＮとなる一方ＬでＯＦＦになり、前記ＯＮにより前記正転側合流部をグランドと通じさせる第３作動部材が設けられ、
前記制御信号ｆ３の入力部とｆ４の入力部は、逆転側合流部を経て前記励磁モータの逆転側電流接続部と接続され、
前記逆転側合流部から前記励磁モータの逆転側電流接続部までの経路には、抵抗Ｒ２を介してモータ用電源ＶＭと接続され、
前記制御信号ｆ３の入力部から前記逆転側合流部までの経路には前記制御信号ｆ３がＨでＯＮとなる一方ＬでＯＦＦになる第４作動部材と、前記第４作動部材がＯＮの場合にＯＮとなる第５作動部材とが直列に設けられ、前記第５作動部材にはモータ用電源ＶＭが接続されて前記第５作動部材ＯＮにより前記モータ用電源ＶＭが前記逆転側合流部を経て前記励磁モータの逆転側接続部に供給されるように構成し、
前記制御信号ｆ４の入力部から前記逆転側合流部までの経路には前記制御信号ｆ４がＨでＯＮとなる一方ＬでＯＦＦになり、前記ＯＮにより前記逆転側合流部をグランドと通じさせる第６作動部材が設けられ、
前記駆動体を変位させる変位状態にする場合は、前記制御信号ｆ１をＨ、ｆ２をＬ、ｆ３をＬ、ｆ４をＨの組み合わせ、又は前記制御信号ｆ１をＬ、ｆ２をＨ、ｆ３をＨ、ｆ４をＬの組み合わせとし、
前記駆動体を保持状態にする場合は、前記制御信号ｆ１をＬ、ｆ２をＬ、ｆ３をＬ、ｆ４をＨの組み合わせ、又は前記制御信号ｆ１をＬ、ｆ２をＨ、ｆ３をＬ、ｆ４をＬの組み合わせとすることを特徴とする請求項４に記載の遊技機。
【請求項６】
前記制御信号ｆ１の入力部とｆ２の入力部は、モータドライバに設けられ、前記モータドライバのＯＵＴ１側が前記励磁モータの正転側電流接続部と接続されると共に、前記ＯＵＴ１から前記励磁モータの正転側電流接続部までの経路には、抵抗Ｒ１を介してモータ用電源ＶＭが接続され、前記モータドライバのＯＵＴ２側が前記励磁モータの逆転側電流接続部と接続されると共に、前記ＯＵＴ２から前記励磁モータの正転側電流接続部までの経路には、抵抗Ｒ２を介してモータ用電源ＶＭが接続され、
前記モータドライバは、前記制御信号ｆ１をＨ、ｆ２をＬとすることにより前記励磁モータを正転させ、前記制御信号ｆ１をＬ、ｆ２をＨとすることにより前記励磁モータを逆転させ、前記制御信号ｆ１及びｆ２を何れもＬにすることにより前記励磁モータへの電流を停止するように制御し、
前記制御信号ｆ３の入力部は、前記制御信号ｆ３がＨでＯＮとなる一方ＬでＯＦＦになる第３作動部材と接続され、前記第３作動部材は前記モータドライバのＯＵＴ１から前記励磁モータの逆転側電流接続部への経路に接続され、前記第３作動部材のＯＮにより前記モータ用電源ＶＭが前記抵抗Ｒ１と前記第３作動部材を経てグラウンドと通じ、
前記制御信号ｆ４の入力部は、前記制御信号ｆ４がＨでＯＮとなる一方ＬでＯＦＦになる第４作動部材と接続され、前記第４作動部材は前記モータドライバのＯＵＴ２から前記励磁モータの逆転側電流接続部への経路に接続され、前記第４作動部材のＯＮにより前記モータ用電源ＶＭが前記抵抗Ｒ２と前記第４作動部材を経てグラウンドと通じるように構成され、
前記駆動体を変位させる変位状態にする場合は、前記制御信号ｆ１をＨ、ｆ２をＬ、ｆ３をＬ、ｆ４をＨとする組み合わせ、又は前記制御信号ｆ１をＬ、ｆ２をＨ、ｆ３をＨ、ｆ４をＬとする組み合わせとし、
前記駆動体を保持状態にする場合は、前記制御信号ｆ１及びｆ２を何れもＬ、ｆ３をＬ、ｆ４をＨの組み合わせ、又は前記制御信号ｆ１及びｆ２を何れもＬ、ｆ３をＨ、ｆ４をＬの組み合わせとすることを特徴とする請求項４に記載の遊技機。
【請求項７】
駆動可能な駆動体と、前記駆動体を駆動させる励磁モータと、前記励磁モータの駆動制御を行う駆動制御手段とを備える遊技機において、
前記駆動制御手段は、前記駆動体を変位させる変位状態時に前記励磁モータに変位状態時用電源を供給する変位状態時用電源供給経路と、
前記駆動体を一定位置で保持する保持状態時に前記励磁モータに保持状態時用電源を供給する保持状態時用電源供給経路と、
前記変位状態時用電源供給経路と前記保持状態時用電源供給経路とを切り替える電源供給経路切り替え手段と、
を備え、
前記保持状態時用電源供給経路には、前記励磁モータに供給する保持状態時用電源を前記変位状態時用電源供給経路の変位状態時用電源よりも小さな電流にする保持状態時用電源作成手段を備えることを特徴とする遊技機。
【請求項８】
駆動可能な駆動体と、前記駆動体を駆動させる励磁モータと、前記励磁モータの駆動制御を行う駆動制御手段と、を備える遊技機において、
前記駆動制御手段は、前記励磁モータに供給する電流を前記励磁モータの発熱を抑制するように小さくし、前記駆動体を変位させる変位状態時と前記駆動体を一定位置で保持する保持状態時との何れにおいても前記励磁モータに前記小さくした電流を供給することを特徴とする遊技機。
【請求項９】
駆動可能な駆動体と、前記駆動体を駆動させる励磁モータと、前記励磁モータの駆動制御を行う駆動制御手段と、を備える遊技機において、
前記駆動制御手段は、発熱抑制駆動用電源作成手段を備え、前記発熱抑制駆動用電源作成手段で作成された発熱抑制駆動用電源を前記励磁モータに供給することを特徴とする遊技機。
【発明の詳細な説明】
【技術分野】
【０００１】
本発明は、駆動体を励磁モータで駆動させる遊技機に関する。
【背景技術】
【０００２】
従来、パチンコ遊技機等においては、駆動体の駆動による演出を遊技状態に応じて行っていた。
駆動体を駆動するための駆動源として励磁モータがある。励磁モータは励磁位置を変更更新しながら励磁位置に電流を流すことで駆動し、駆動体を駆動させる。
【先行技術文献】
【特許文献】
【０００３】
【特許文献１】特開平１０−５７５４９号公報
【発明の概要】
【発明が解決しようとする課題】
【０００４】
励磁モータで駆動体を駆動させる遊技機は、駆動体を所定位置で保持する時に励磁モータの励磁を行わないと、駆動体が自重や振動等で動く虞があった。しかしながら、駆動体を所定位置に保持する時も含めて、励磁モータに常時駆動用の励磁を行うと、励磁モータが発熱して励磁モータの規定温度を超え、故障等の原因となる虞があった。
【０００５】
本発明は、前記の点に鑑みなされたものであって、駆動体を所定位置に保持する時に駆動体が自重や振動等で所定位置から動くことを抑制し、かつ励磁モータの発熱を抑制することを目的とする。
【課題を解決するための手段】
【０００６】
手段１は、駆動可能な駆動体と、前記駆動体を駆動させる励磁モータと、前記励磁モータの駆動制御を行う駆動制御手段とを備える遊技機において、前記駆動制御手段は、前記駆動体を変位させる変位状態時と前記駆動体を一定位置で保持する保持状態時との何れにおいても前記励磁モータに電流を供給し、前記励磁モータに供給する電流を少なくとも前記保持状態時で小とすることを特徴とする。
【０００７】
手段２は、駆動可能な駆動体と、前記駆動体を駆動させる励磁モータと、前記励磁モータの駆動制御を行う駆動制御手段とを備える遊技機において、前記駆動制御手段は、前記駆動体を変位させる変位状態時と前記駆動体を一定位置で保持する保持状態時の何れにおいても前記励磁モータに電流を供給し、前記励磁モータに供給する電流を前記変位状態時よりも前記保持状態時で小とすることを特徴とする。
【０００８】
手段３は、手段１または２において、前記駆動制御手段は、制御信号のレベル状態によって前記励磁モータへの電流の大小（強弱）を設定することを特徴とする。
【０００９】
手段４は、手段１または２において、前記駆動制御手段は、制御信号のｆ１乃至ｆ４の入力部を備え、前記制御信号ｆ１乃至ｆ４のレベル状態の組み合わせによって、前記励磁モータへの電流の大小（強弱）を設定することを特徴とする。
【００１０】
手段５は、手段４において、前記制御信号ｆ１の入力部とｆ２の入力部は、正転側合流部を経て前記励磁モータの正転側電流接続部と接続され、前記正転側合流部から前記励磁モータの正転側電流接続部までの経路には、抵抗Ｒ１を介してモータ用電源ＶＭが接続され、前記制御信号ｆ１の入力部から前記正転側合流部までの経路には前記制御信号ｆ１がＨでＯＮとなる一方ＬでＯＦＦになる第１作動部材と、前記第１作動部材がＯＮの場合にＯＮとなる第２作動部材とが直列に設けられ、前記第２作動部材にはモータ用電源ＶＭが接続されて前記第２作動部材ＯＮにより前記モータ用電源ＶＭが前記正転側合流部を経て前記励磁モータの正転側電流接続部に供給されるように構成し、前記制御信号ｆ２の入力部から前記正転側合流部までの経路には前記制御信号ｆ２がＨでＯＮとなる一方ＬでＯＦＦになり、前記ＯＮにより前記正転側合流部をグランドと通じさせる第３作動部材が設けられ、前記制御信号ｆ３の入力部とｆ４の入力部は、逆転側合流部を経て前記励磁モータの逆転側電流接続部と接続され、前記逆転側合流部から前記励磁モータの逆転側電流接続部までの経路には、抵抗Ｒ２を介してモータ用電源ＶＭと接続され、前記制御信号ｆ３の入力部から前記逆転側合流部までの経路には前記制御信号ｆ３がＨでＯＮとなる一方ＬでＯＦＦになる第４作動部材と、前記第４作動部材がＯＮの場合にＯＮとなる第５作動部材とが設けられ、前記第５作動部材にはモータ用電源ＶＭが接続されて前記第５作動部材ＯＮにより前記モータ用電源ＶＭが前記逆転側合流部を経て前記励磁モータの逆転側接続部に供給されるように構成し、前記制御信号ｆ４の入力部から前記逆転側合流部までの経路には前記制御信号ｆ４がＨでＯＮとなる一方ＬでＯＦＦになり、前記ＯＮにより前記逆転側合流部をグランドと通じさせる第６作動部材が設けられ、前記駆動体を変位させる変位状態にする場合は、前記制御信号ｆ１をＨ、ｆ２をＬ、ｆ３をＬ、ｆ４をＨの組み合わせ、又は前記制御信号ｆ１をＬ、ｆ２をＨ、ｆ３をＨ、ｆ４をＬの組み合わせとし、前記駆動体を保持状態にする場合は、前記制御信号ｆ１をＬ、ｆ２をＬ、ｆ３をＬ、ｆ４をＨの組み合わせ、又は前記制御信号ｆ１をＬ、ｆ２をＨ、ｆ３をＬ、ｆ４をＬの組み合わせとすることを特徴とする。
【００１１】
手段６は、手段４において、前記制御信号ｆ１の入力部とｆ２の入力部は、モータドライバに設けられ、前記モータドライバのＯＵＴ１側が前記励磁モータの正転側電流接続部と接続されると共に、前記ＯＵＴ１から前記励磁モータの正転側電流接続部までの経路には、抵抗Ｒ１を介してモータ用電源ＶＭが接続され、前記モータドライバのＯＵＴ２側が前記励磁モータの逆転側電流接続部と接続されると共に、前記ＯＵＴ２から前記励磁モータの正転側電流接続部までの経路には、抵抗Ｒ２を介してモータ用電源ＶＭが接続され、前記モータドライバは、前記制御信号ｆ１をＨ、ｆ２をＬとすることにより前記励磁モータを正転させ、前記制御信号ｆ１をＬ、ｆ２をＨとすることにより前記励磁モータを逆転させ、前記制御信号ｆ１及びｆ２を何れもＬにすることにより前記励磁モータへの電流を停止するように制御し、前記制御信号ｆ３の入力部は、前記制御信号ｆ３がＨでＯＮとなる一方ＬでＯＦＦになる第３作動部材と接続され、前記第３作動部材は前記モータドライバのＯＵＴ１から前記励磁モータの逆転側電流接続部への経路に接続され、前記第３作動部材のＯＮにより前記モータ用電源ＶＭが前記抵抗Ｒ１と前記第３作動部材を経てグラウンドと通じ、前記制御信号ｆ４の入力部は、前記制御信号ｆ４がＨでＯＮとなる一方ＬでＯＦＦになる第４作動部材と接続され、前記第４作動部材は前記モータドライバのＯＵＴ２から前記励磁モータの逆転側電流接続部への経路に接続され、前記第４作動部材のＯＮにより前記モータ用電源ＶＭが前記抵抗Ｒ２と前記第４作動部材を経てグラウンドと通じるように構成され、前記駆動体を変位させる変位状態にする場合は、前記制御信号ｆ１をＨ、ｆ２をＬ、ｆ３をＬ、ｆ４をＨとする組み合わせ、又は前記制御信号ｆ１をＬ、ｆ２をＨ、ｆ３をＨ、ｆ４をＬとする組み合わせとし、前記駆動体を保持状態にする場合は、前記制御信号ｆ１及びｆ２を何れもＬ、ｆ３をＬ、ｆ４をＨの組み合わせ、又は前記制御信号ｆ１及びｆ２を何れもＬ、ｆ３をＨ、ｆ４をＬの組み合わせとすることを特徴とする。
【００１２】
手段７は、駆動可能な駆動体と、前記駆動体を駆動させる励磁モータと、前記励磁モータの駆動制御を行う駆動制御手段とを備える遊技機において、前記駆動制御手段は、前記駆動体を変位させる変位状態時に前記励磁モータに変位状態時用電源を供給する変位状態時用電源供給経路と、前記駆動体を一定位置で保持する保持状態時に前記励磁モータに保持状態時用電源を供給する保持状態時用電源供給経路と、前記変位状態時用電源供給経路と前記保持状態時用電源供給経路とを切り替える電源供給経路切り替え手段と、を備え、前記保持状態時用電源供給経路には、前記励磁モータに供給する保持状態時用電源を前記変位状態時用電源供給経路の変位状態時用電源よりも小さな電流にする保持状態時用電源作成手段を備えることを特徴とする。
【００１３】
手段８は、駆動可能な駆動体と、前記駆動体を駆動させる励磁モータと、前記励磁モータの駆動制御を行う駆動制御手段と、を備える遊技機において、前記駆動制御手段は、前記励磁モータに供給する電流を前記励磁モータの発熱を抑制するように小さくし、前記駆動体を変位させる変位状態時と前記駆動体を一定位置で保持する保持状態時との何れにおいても前記励磁モータに前記小さくした電流を供給することを特徴とする。
【００１４】
手段９は、駆動可能な駆動体と、前記駆動体を駆動させる励磁モータと、前記励磁モータの駆動制御を行う駆動制御手段と、を備える遊技機において、前記駆動制御手段は、発熱抑制駆動用電源作成手段を備え、前記発熱抑制駆動用電源作成手段で作成された発熱抑制駆動用電源を前記励磁モータに供給することを特徴とする。
【発明の効果】
【００１５】
本発明によれば、駆動体を所定位置に保持する時に駆動体が自重や振動等で所定位置から動くことを抑制し、かつ励磁モータの発熱を抑制し、励磁モータの規定温度を超えないようにすることが可能となる。
【図面の簡単な説明】
【００１６】
【図１】本発明の一実施例に係る遊技機の正面図である。
【図２】駆動体を示す斜視図及び２Ｂ矢視図である。
【図３】同遊技機の裏側を示す図である。
【図４】同遊技機の制御基板や装置等の接続を示すブロック図である。
【図５】励磁モータへの出力回路の第１例を示す図である。
【図６】第１例の制御信号のタイムチャートである。
【図７】励磁モータへの出力回路の第２例を示す図である。
【図８】第２例の制御信号のタイムチャートである。
【図９】モータドライバの制御理論表である。
【図１０】励磁モータへの出力回路の第３例を示す図である。
【図１１】第３例の制御信号のタイムチャートである。
【図１２】駆動制御処理のフローチャートである。
【発明を実施するための形態】
【００１７】
以下、添付の図面に基づき本発明の実施形態を説明する。図１に示す遊技機１は、遊技媒体として遊技球を用いるパチンコ遊技機であって、遊技盤２の縁に外側誘導レール３及び内側誘導レール４が略円形に配置され、前記外側誘導レール３及び内側誘導レール４によって区画された遊技領域６が前記遊技盤２上に設けられている。前記遊技領域６には遊技球を誘導する誘導釘Ｒが遊技盤２の表面に設けられている。また、遊技機１の前面側には、装飾ランプ等からなるランプ装置３５、発射装置へ供給する遊技球と払い出された遊技球を受けるための上側球受け皿３６、該上側球受け皿３６の満杯時に遊技球を受けるための下側球受け皿３７、効果音等を発するスピーカ３８、遊技者の発射操作に応じて遊技球を前記遊技領域６へ向けて弾発発射するための発射装置６４、遊技者による操作可能な遊技用操作ボタン６７が設けられている。図１における符号Ｗ１は遊技機の外枠、Ｗ２は外枠Ｗ１に取り付けられた前枠、Ｇは前記前枠Ｗ２に開閉可能にヒンジで取り付けられたガラス枠である。以下、遊技機１の主要な部分について説明する。
【００１８】
前記遊技領域６には、中心線上の上部から下部に向かって順に表示装置１０、上側始動入賞口４１、下側始動入賞口４２、大入賞口４５、アウト口４８が配置されている。前記上側始動入賞口４１及び下側始動入賞口４２の左には左袖第１入賞口５１と左袖第２入賞口５２が配置され、また、大入賞口４５の左右には左落とし入賞口５３と右落とし入賞口５４が配置されている。また、前記表示装置１０の左には普通図柄変動開始用ゲート５５、その下方には風車７６が設けられている。前記上側始動入賞口４１、下側始動入賞口４２、大入賞口４５、左袖第１入賞口５１、左袖第２入賞口５２、左落とし入賞口５３、右落とし入賞口５４は、遊技盤２に形成された遊技領域６内を流下する遊技球が入賞（入球）可能な複数の入賞装置に相当する。前記の各入賞口（入賞装置）に遊技球が入賞（入球）して入賞（入球）が検出されると１入賞球の検出に対して所定個数の賞品球（遊技球）が遊技者に払い出される。前記１入賞球の検出に対する賞品球の払出個数は、前記入賞口毎に設定されている。
【００１９】
前記表示装置１０は図柄等の画像が表示可能なものであって、液晶，ドットマトリックス若しくはＬＥＤ表示装置等の画像表示装置からなる。本実施例では、液晶表示器（ＴＦＴ−ＬＣＤモジュール）で構成されている。
【００２０】
前記表示装置１０は、当否判定手段による判定結果を図柄で表示する表示手段に相当し、左下部が普通図柄表示部５０とされ、他の部分が特別図柄表示部１１となっている。前記特別図柄表示部１１は、当否判定手段による判定結果を図柄で表示する部分である。図柄は、遊技者が識別可能なものであって、本実施例では特別図柄からなる判定図柄で構成されている。前記特別図柄表示部１１には、左右に並ぶ左特別図柄（左判定図柄）と中特別図柄（中判定図柄）と右特別図柄（右判定図柄）が、それぞれ変動表示し、所定時間変動表示した後、判定結果に基づき左特別図柄、中特別図柄、右特別図柄が確定停止特別図柄（確定停止判定図柄）として停止表示される。また、前記特別図柄表示部１１には、背景画像や背景画像に被さるように背景画像の前でキャラクターや文字等の演出画像が表示されることもあり、該背景画像が特別図柄の変動開始等の所定条件に起因して変動表示可能となっていてもよい。
【００２１】
この実施例において変動および停止表示される左特別図柄、中特別図柄、右特別図柄は、それぞれ『０，１，２，３，４，５，６，７，８，９』の１０通りの図柄とされている。本実施例では、遊技の当否判定結果が大当たり（当たり）の場合には、前記特別図柄表示部１１に大当たりの特別図柄組合せ、この例では『１，１，１』（いわゆる‘１’のぞろ目）や『２，２，２』（いわゆる‘２’のぞろ目）等、同一数字の組合せで特別図柄が停止表示され、遊技者に有利な特典を付与する大当たり遊技（特別遊技）に移行する。大当たりにおける遊技者に有利な特典は、本実施例では、遊技者による遊技球の獲得し易さ増大に設定されている。
【００２２】
前記普通図柄表示部５０は、記号或いは絵（キャラクター）等の普通図柄当たり判定用普通図柄を変動表示及び停止表示する。本実施例における普通図柄表示部５０に変動及び停止表示される普通図柄は、『０』と『１』の２種類からなり、普通図柄当たりの場合には当たり普通図柄『１』で停止表示され、一方、普通図柄外れの場合には外れ普通図柄『０』で停止表示される。
【００２３】
前記上側始動入賞口４１は、上方が開口した形状からなって遊技球が上方から入球（入賞）可能となっている。
一方、前記下側始動入賞口４２は、２つの可動片４２ａ，４２ｂが背面の始動入賞口用ソレノイドによって略垂直で遊技球の入賞（入球）困難な閉状態（通常状態）と略Ｖ字形（逆ハの字形）の入賞可能な開状態間を変化可能に制御されている。前記下側始動入賞口４２の可動片４２ａ，４２ｂ間は入賞（入球）領域に相当する。前記下側始動入賞口４２の開状態への移行は、前記普通図柄表示部５０で普通図柄が変動した後、普通図柄当たりを示す当たり普通図柄（本実施例では『１』）で確定停止表示された時に行われる。
【００２４】
また、前記遊技盤２の背面には、前記上側始動入賞口４１に入賞（入球）した遊技球を検出する上側始動入賞口検出スイッチ（上側始動入賞口センサ）と、前記下側始動入賞口４２へ入賞（入球）した遊技球を検出する下側始動入賞口検出スイッチ（下側始動入賞口センサ）がそれぞれの入賞球用通路に設けられている。本実施例において前記上側始動入賞口４１あるいは下側始動入賞口４２への遊技球の入賞（入球）検出は、乱数値の取得の起因および前記特別図柄の変動表示開始の起因とされ、さらには、判定条件の成立に設定されており、また、前記判定条件の成立に起因して当否判定手段により大当たりか否かが判定される。
【００２５】
本実施例では、前記上側始動入賞口４１あるいは下側始動入賞口４２に入賞して前記上側始動入賞口検出スイッチ（上側始動入賞口センサ）、前記下側始動入賞口検出スイッチで検出された遊技球検出数（始動入賞口入賞球数）を、予め設定された設定数まで特別図柄保留球数として記憶し、図柄の変動表示を一旦保留して順次図柄の変動表示が開始されることにより、あるいは当否判定結果の判定結果を表示する図柄が前記表示装置１０の特別図柄表示部１１で停止表示されることにより、記憶されている特別図柄保留球数の数を減らしている。前記上側始動入賞口４１及び下側始動入賞口４２への入賞に対する記憶は、前記表示装置１０で現在変動中の記憶を含まず、最大４個に設定されている。
【００２６】
なお、前記始動入賞口検出スイッチ（上側始動入賞口検出スイッチ、下側始動入賞口検出スイッチ）による遊技球検出数が最大個数まで記憶されている時には、前記始動入賞口検出スイッチがそれ以上入賞遊技球を検出しても、保留球数としては記憶されない無効球（オーバーフロー入賞球）とされ、その無効球については当否判定及び図柄の変動を行うことなく、入賞に対する賞球遊技球が所定数払い出される。
【００２７】
前記普通図柄変動開始用ゲート５５は、前記遊技盤２の背面に設けられた普通図柄変動開始スイッチで普通図柄変動開始用ゲート５５を通過する遊技球が検出されることに基づいて前記普通図柄表示部５０で普通図柄の変動を開始させるようになっている。また、前記普通図柄変動開始用ゲート５５を通過して検出された遊技球の検出数は、前記普通図柄変動装置５０における現在変動中の記憶を含めず最大４個普通図柄保留球数として記憶し、普通図柄の変動開始により普通図柄保留球数を減らすようになっている。
【００２８】
また、前記遊技盤２の背面には、前記左袖第１入賞口５１の入賞球を検出する左袖第１入賞口用検出スイッチ、前記左袖第２入賞口５２の入賞球を検出する左袖第２入賞口用検出スイッチ、前記左落とし入賞口５３及び右落とし入賞口５４の入賞球を検出する左落とし入賞口用検出スイッチ及び右落とし入賞口用検出スイッチが設けられている。
【００２９】
前記大入賞口４５は、前記遊技盤２の背面に設けられた大入賞口開放用ソレノイドによって開閉する開閉板４６を備えている。この大入賞口４５は、通常は開閉板４６が閉じた状態とされ、当否判定結果が当たり（大当たり）の場合に実行される大当たり遊技（特別遊技）時に所定ラウンドとして本実施例では１５ラウンド（１５回）開放される。また、前記大入賞口４５内には、大入賞口４５に入賞した入賞球を検出する入賞球数カウントスイッチ（カウントセンサ）が設けられている。
【００３０】
前記上側始動入賞口検出スイッチ、下側始動入賞口検出スイッチ、左袖第１入賞口用検出スイッチ、左袖第２入賞口用検出スイッチ、左落とし入賞口用検出スイッチ、右落とし入賞口用検出スイッチ、入賞球数カウントスイッチ（カウントセンサ）は、入賞装置に入賞した遊技球を検出する入賞検出手段に相当する。
【００３１】
前記発射装置６４は、操作レバー６５の操作により駆動する発射モータを裏側に有し、該発射モータの駆動により遊技球を弾発発射するようになっている。前記発射装置６４により発射された発射球は、前記遊技盤２の表面に立設された内側誘導レール４と外側誘導レール３間で構成される発射球誘導路を介して遊技領域６に誘導される。前記遊技領域６に誘導された遊技球は、転動しつつ下方へ落下し、前記各装置及び各入賞口に入賞するか、或いは何処にも入賞しなければ前記アウト口４８から遊技盤２の裏側へ排出される。
【００３２】
さらに本実施例では、前記表示装置１０の上方に駆動体８１が設けられており、遊技状態に応じて駆動可能とされている。
前記駆動体８１は、多面体で構成され、本実施例では、図２に示すような略直方体からなり、長さ方向を回転軸として横長に取り付けられている。前記駆動体８１における回転軸と直交方向に位置する４つの外面８１Ａ、８１Ｂ、８１Ｃ、８１Ｄにはそれぞれ装飾が施され、所定位置で停止可能とされる。なお、前記外面８１Ａ、８１Ｂ、８１Ｃ、８１Ｄは多面体を構成する面である。また、前記４つの外面における一組の背中合わせの外面８１Ａ、８１Ｃは、他の組の外面８１Ｂ、８１Ｄよりも面積が大になっている、
【００３３】
前記駆動体８１は、長さ方向両端面８１Ｅ、８１Ｆの一方の端面８１Ｅに、第１の歯車８３と該第１の歯車に噛み合う第２の歯車８４とが設けられ、前記第２の歯車８４が励磁モータ８５で回転するように構成されている。また、前記駆動体８１は、長さ方向の他端面８１Ｆが支持部材８２に回転可能に軸支されている。前記励磁モータ８５の駆動によって第２の歯車８４が回転すると、前記第２の歯車８４と噛み合っている第１の歯車８３が回転し、それによって前記駆動体８１が回転する。そして、前記励磁モータ８５の駆動停止により、前記駆動体８１は回転を停止する。前記励磁モータ８５は、駆動制御手段によって駆動が制御され、前記駆動体８１における４つの外面８１Ａ、８１Ｂ、８１Ｃ、８１Ｄが、遊技状態に応じて所定の位置で停止するように制御される。
【００３４】
前記励磁モータ８５は、公知のステッピングモータからなり、前記駆動体８１を駆動させるための複数の励磁相を有する。本実施例の励磁モータ８５は、２相励磁式のものである。前記励磁モータ８５の正転により、前記駆動体８１は、前記外面８１Ａを正面側（遊技者）へ向けた状態から上向きに９０°回転し、前記外面８１Ｂを正面側にすると共に前記外面８１Ａを上面側にした状態で停止する。また、前記励磁モータ８５の逆転により、前記駆動体８１は、前記外面８１Ｂを正面側（遊技者）へ向けた状態から下向きに９０°回転し、前記外面８１Ａを正面側に戻すと共に前記外面８１Ｂを下向きにした状態で停止する。
【００３５】
なお、前記駆動体は１つに限られず、複数設けてもよい。例えば、前記駆動体８１の他に刀の柄の形状をした第２の駆動体９１を設けて、該駆動体９１用の励磁モータ（図示せず）により、遊技状態に応じて表示装置１０の前面側で揺動させ、所定位置で停止するようにしてもよい。
【００３６】
前記遊技機１の裏側には、図３に示すように、複数の制御基板や装置等が設けられている。制御基板の主なものとして、主制御基板２００、サブ制御基板２０５、表示制御基板２１０、音声制御基板２２０、払出制御基板２４０、電源基板２５０、発射制御基板２６０等がある。符号２６５は外部端子、２８１は払出装置、２８３は球無し検出スイッチ、２８９は球貯留タンク、２９１は球誘導樋である。２７１はＲＡＭクリアスイッチ、２７２は電源スイッチである。なお各制御基板には制御回路が設けられている。また、各制御基板は、単独でまたは複数まとめてケースに収納された状態で遊技機１の裏側に配置されている。主な制御基板を、図４のブロック図を用いて簡略に示す。
【００３７】
主制御基板２００は、遊技情報に従って遊技の進行を制御する。前記主制御基板２００には、ＣＰＵ、ＲＡＭ、ＲＯＭおよび複数のカウンタを備えたマイクロコンピュータを少なくとも備え、サブ制御基板２０５及び払出制御基板２４０と接続され、また中継回路を介して上側始動入賞口４１、下側始動入賞口４２及び大入賞口４５等と接続されている。前記主制御基板２００は電源基板２５０から電源供給を受けて作動する。
【００３８】
前記主制御基板２００におけるＣＰＵは、制御部、演算部、各種カウンタ、各種レジスタ，各種フラグ等を備え、演算制御を行う他、乱数値も生成し、また指令信号（制御信号あるいはコマンドとも称される）を接続されているサブ制御基板２０５や装置等へ出力（送信）可能に構成されている。また、前記主制御基板２００のＣＰＵは制御プログラムを実行して遊技情報に従って遊技に関わる主制御を行う。遊技情報は、前記入賞装置への入賞情報や、払出情報、ラウンド状態、演出（例：音・ランプ・表示（背景画像・演出画像））に関する情報等、遊技の進行に必要な情報である。
【００３９】
前記主制御基板２００から出力される指令信号（コマンド）には、上側始動入賞口４１及び下側始動入賞口４２への入賞時に出力される入賞コマンド、前記特別図柄表示部１１で特別図柄を変動表示させる表示態様を含めた変動コマンド、前記特別図柄表示部１１に表示させる待ち受け画面等の表示態様を含めたコマンド等がある。入賞コマンドには、前記特別図柄表示部１１で特別図柄を停止表示させる大当たり判定結果データが少なくとも含まれる。前記主制御基板２００から出力される指令信号には、その他、普通図柄当たりに関するデータ、電源投入時、異常時、大当たりラウンド時等のデータを挙げることができる。なお、主制御基板２００が前記表示装置１０の制御に関して出力する指令信号に基づいて、サブ制御基板２０５が前記表示装置１０に表示する内容等を設定する。
【００４０】
前記ＲＡＭは、前記上側始動入賞口検出スイッチ及び下側始動入賞口検出スイッチで検出された遊技球の特別図柄保留球数の記憶領域、普通図柄変動開始スイッチで検出された遊技球の普通図柄保留球数の記憶領域、ＣＰＵで生成される各種乱数値用の記憶領域、遊技に必要な遊技データ等の各種データを一時的に記憶する記憶領域や、遊技情報を記憶する記憶領域やフラグ、ＣＰＵの作業領域を備える。
【００４１】
前記ＲＯＭは、前記ＣＰＵのための制御プログラムや制御データ、前記特別図柄表示部１１での変動表示に関する変動態様や図柄データ、演出時間等のデータが書き込まれている他、大当たり、普通図柄当たりの判定値等が書き込まれている。
【００４２】
サブ制御基板２０５は、前記主制御基板２００と接続されて主制御基板２００から指令信号（コマンド）を受信可能に構成されると共に、前記表示制御基板２１０及び前記駆動体８１の励磁モータ８５と接続されて表示装置１０及び励磁モータ８５を制御可能に構成されている。前記サブ制御基板２０５にはＣＰＵ、ＲＯＭ、ＲＡＭ、複数のカウンタを備えたマイクロコンピュータと、前記主制御基板２００とを結ぶ入出力回路と、表示制御基板２１０やランプ中継基板、音声制御基板２２０、前記駆動体８１の励磁モータ８５とを結ぶ入出力回路を備えている。前記サブ制御基板２０５は、前記主制御基板２００と共に遊技の制御を行う制御手段に相当し、前記主制御基板２００から出力された指令信号に従って遊技の制御を行う。本実施例ではサブ制御基板２０５はランプ制御基板を兼ねている。前記サブ制御基板２０５は、前記主制御基板２００から出力された指令信号を受信し、受信した指令信号に基づいて、ランプ中継基板や表示制御基板２１０、励磁モータ８５へ信号を出力している。前記主制御基板２００からの指令信号には、前記表示装置１０をサブ制御基板２０５が制御するための変動コマンド及び前記ランプ装置３５に対するデータや信号、入賞コマンド等が含まれ、それらの信号の内容に合わせて遊技の制御を行っている。また、前記サブ制御基板２０５のＲＯＭは制御用のプログラムやデータ定数、前記表示装置１０で実行される変動態様による演出等や背景演出情報が記憶され、また前記ＲＡＭは各種データの記憶領域とＣＰＵによる作業領域を有している。前記ランプ中継基板には装飾ランプ等のランプ装置３５が接続され、前記サブ制御基板２０５からランプ中継基板に送信された指令信号によって、ランプ装置３５の作動を制御する。前記サブ制御基板２０５は電源基板２５０から電源供給を受けて作動する。
【００４３】
さらに前記サブ制御基板２０５には前記励磁モータ８５の駆動制御を行う駆動制御手段が設けられている。前記駆動制御手段は、前記サブ制御基板２０５のマイクロコンピュータからの制御信号によって励磁モータ８５に対する電流を制御する駆動制御回路部を備える。図５に第１例の駆動制御回路部２０６Ａを示す。第１例では前記励磁モータ８５をユニポーラ駆動させる。
【００４４】
前記駆動制御回路部２０６Ａは、制御信号ｆ１の入力ポートＩＮ１、制御信号ｆ２の入力ポートＩＮ２、制御信号ｆ３の入力ポートＩＮ３、制御信号ｆ４の入力ポートＩＮ４を備え、入力ポートＩＮ１に対する回路Ｋ１Ａ、入力ポートＩＮ２に対する回路Ｋ２Ａ、入力ポートＩＮ３に対する回路Ｋ３Ａ、入力ポートＩＮ４に対するＫ４Ａが設けられている。
【００４５】
入力ポートＩＮ１に対する回路Ｋ１Ａは、前記入力ポート１Ｎ１から励磁モータ８５のΦ１側（正転側電流接続部）へ至る経路に、ＮチャンネルＭＯＳＦＥＴ  ＴＲ＿Ｎ３、抵抗Ｒ５、ＰチャンネルＭＯＳＦＥＴ  ＴＲ＿Ｐ１が設けられている。ＮチャンネルＭＯＳＦＥＴ  ＴＲ＿Ｎ３は、ゲート側が前記入力ポートＩＮ１、ソース側がＧＮＤ、ドレイン側が抵抗Ｒ５の一側にそれぞれ接続されている。前記抵抗Ｒ５の他側は前記ＰチャンネルＭＯＳＦＥＴ  ＴＲ＿Ｐ１のゲート側に接続されている。前記ＰチャンネルＭＯＳＦＥＴ  ＴＲ＿Ｐ１は、ソース側がモータ用電源ＶＭに接続され、またドレイン側が前記励磁モータ８５に接続されている。さらに前記ＰチャンネルＭＯＳＦＥＴ  ＴＲ＿Ｐ１のゲート側とソース側間には抵抗Ｒ３が接続されている。また、前記ＰチャンネルＭＯＳＦＥＴ  ＴＲ＿Ｐ１のドレインと前記励磁モータ８５間は抵抗Ｒ１を介してモータ用電源ＶＭに接続されている。
【００４６】
入力ポートＩＮ２に対する回路Ｋ２Ａは、ＮチャンネルＭＯＳＦＥＴ  ＴＲ＿Ｎ１を介して前記励磁モータ８５のΦ１側に接続されている。前記ＮチャンネルＭＯＳＦＥＴ  ＴＲ＿Ｎ１は、ゲート側が前記入力ポートＩＮ２、ソース側がＧＮＤ、ドレイン側が前記ＰチャンネルＭＯＳＦＥＴ  ＴＲ＿Ｐ１のドレインと前記抵抗Ｒ１間に接続されている。
【００４７】
入力ポートＩＮ３に対する回路Ｋ３Ａは、前記入力ポート１Ｎ３から励磁モータ８５の／Φ１側（逆転側電流接続部）へ至る経路に、ＮチャンネルＭＯＳＦＥＴ  ＴＲ＿Ｎ４、抵抗Ｒ６、ＰチャンネルＭＯＳＦＥＴ  ＴＲ＿Ｐ２が設けられている。ＮチャンネルＭＯＳＦＥＴ  ＴＲ＿Ｎ４は、ゲート側が前記入力ポートＩＮ３、ソース側がＧＮＤ、ドレイン側が抵抗Ｒ６の一側にそれぞれ接続されている。前記抵抗Ｒ６の他側は前記ＰチャンネルＭＯＳＦＥＴ  ＴＲ＿Ｐ２のゲート側に接続されている。前記ＰチャンネルＭＯＳＦＥＴ  ＴＲ＿Ｐ２は、ソース側がモータ用電源ＶＭに接続され、またドレイン側が前記励磁モータ８５に接続されている。さらに前記ＰチャンネルＭＯＳＦＥＴ  ＴＲ＿Ｐ２のゲート側とソース側間には抵抗Ｒ４が接続されている。また、前記ＰチャンネルＭＯＳＦＥＴ  ＴＲ＿Ｐ２のドレインと前記励磁モータ８５間は抵抗Ｒ２を介してモータ用電源ＶＭに接続されている。
【００４８】
入力ポートＩＮ４に対する回路Ｋ４Ａは、ＮチャンネルＭＯＳトランジスタＴＲ＿Ｎ２を介して前記励磁モータ８５の／Φ１側に接続されている。前記ＮチャンネルＭＯＳＦＥＴ  ＴＲ＿Ｎ２は、ゲート側が前記入力ポートＩＮ４、ソース側がＧＮＤ、ドレイン側が前記ＰチャンネルＭＯＳＦＥＴ  ＴＲ＿Ｐ２のドレインと前記前記抵抗Ｒ２間に接続されている。
【００４９】
前記入力ポートＩＮ１〜ＩＮ４には、図６のタイムチャートに示すように制御信号ｆ１〜ｆ４が入力する。図６におけるモータ欄の「ＣＷ」は前記励磁モータ８５の正転（正回転）、「ＣＣＷ」は前記励磁モータ８５の逆転（逆回転）を示す。時間Ｔ１では、前記励磁モータ８５が正転し、前記駆動体８１は、正面側がそれまでの前記外面８１Ａから前記外面８１Ｂに変位する。時間Ｔ２では、前記駆動体８１は、正面側が前記外面８１Ｂの状態で保持される。時間Ｔ３では、前記励磁モータ８５が逆転し、前記駆動体８１は、正面側がそれまでの前記外面８１Ｂから前記外面８１Ａに変位する。時間Ｔ４では、前記駆動体８１は、正面側が前記外面８１Ａの状態で保持される。
【００５０】
時間Ｔ１の状態について説明する。時間Ｔ１では、入力ポートＩＮ１の制御信号ｆ１がＨレベル、入力ポートＩＮ２の制御信号ｆ２がＬレベル、入力ポートＩＮ３の制御信号ｆ３がＬレベル、入力ポートＩＮ４の制御信号ｆ４がＨレベルとされる。
【００５１】
前記入力ポートＩＮ１に対する回路Ｋ１Ａでは、前記制御信号ｆ１がＨレベルとされることにより、前記ＮチャンネルＭＯＳＦＥＴ  ＴＲ＿Ｎ３と、前記ＰチャンネルＭＯＳＦＥＴ  ＴＲ＿Ｐ１が何れもＯＮになり、前記励磁モータ８５のΦ１側へのモータ用電源ＶＭが、前記ＰチャンネルＭＯＳＦＥＴ  ＴＲ＿Ｐ１を通って流れる。
前記入力ポートＩＮ２に対する回路Ｋ２Ａでは、前記制御信号ｆ２がＬレベルとされることにより、前記ＮチャンネルＭＯＳＦＥＴ  ＴＲ＿Ｎ１がＯＦＦとなる。
前記回路Ｋ１Ａ及び回路Ｋ２Ａにより、前記励磁モータ８５のΦ１側へのモータ用電源ＶＭが、前記ＰチャンネルＭＯＳＦＥＴ  ＴＲ＿Ｐ１を通る経路ｕ１Ａで前記励磁モータ８５のΦ１側へ流れる。
【００５２】
前記入力ポートＩＮ３に対する回路Ｋ３Ａでは、前記制御信号ｆ３がＬレベルとされることにより、前記ＮチャンネルＭＯＳＦＥＴ  ＴＲ＿Ｎ４と、前記ＰチャンネルＭＯＳＦＥＴ  ＴＲ＿Ｐ２が何れもＯＦＦになる。
前記入力ポートＩＮ４に対する回路Ｋ４Ａでは、前記制御信号ｆ４がＨレベルとされることにより、前記ＮチャンネルＭＯＳＦＥＴ  ＴＲ＿Ｎ２がＯＮとなる。
前記回路Ｋ３Ａ及び回路Ｋ４Ａにより、前記励磁モータ８５の／Φ１側への前記モータ用電源ＶＭは、抵抗Ｒ２から前記ＮチャンネルＭＯＳＦＥＴ  ＴＲ＿Ｎ２を経てグランドに流れる。
このように、時間Ｔ１においては、前記モータ用電源ＶＭが、前記ＰチャンネルＭＯＳＦＥＴ  ＴＲ＿Ｐ１を通る経路ｕ１Ａで前記励磁モータ８５のΦ１側へ流れ、前記励磁モータ８５を強励磁状態で正転させ、前記駆動体８１を前記外面８１Ａが正面側の状態から前記８１Ｂが正面側となる停止位置まで回転させる。
【００５３】
時間Ｔ２の状態について説明する。時間Ｔ２では、入力ポートＩＮ１の制御信号ｆ１がＬレベル、入力ポートＩＮ２の制御信号ｆ２がＬレベル、入力ポートＩＮ３の制御信号ｆ３がＬレベル、入力ポートＩＮ４の制御信号ｆ４がＨレベルとされる。
【００５４】
前記入力ポートＩＮ１に対する回路Ｋ１Ａでは、前記制御信号ｆ１がＬレベルとされることにより、前記ＮチャンネルＭＯＳＦＥＴ  ＴＲ＿Ｎ３と、前記ＰチャンネルＭＯＳＦＥＴ  ＴＲ＿Ｐ１が何れもＯＦＦになる。
前記入力ポートＩＮ２に対する回路Ｋ２Ａでは、前記制御信号ｆ２がＬレベルとされることにより、前記ＮチャンネルＭＯＳＦＥＴ  ＴＲ＿Ｎ１がＯＦＦとなる。
前記回路Ｋ１Ａ及び回路Ｋ２Ａにより、前記励磁モータ８５のΦ１側へのモータ用電源ＶＭが、前記Ｒ１を通る経路ｕ２Ａで前記励磁モータ８５のΦ１側へ流れる。
【００５５】
前記入力ポートＩＮ３に対する回路Ｋ３Ａでは、前記制御信号ｆ３がＬレベルとされることにより、前記ＮチャンネルＭＯＳＦＥＴ  ＴＲ＿Ｎ４と、前記ＰチャンネルＭＯＳＦＥＴ  ＴＲ＿Ｐ２が何れもＯＦＦになる。
前記入力ポートＩＮ４に対する回路Ｋ４Ａでは、前記制御信号ｆ４がＨレベルとされることにより、前記ＮチャンネルＭＯＳＦＥＴ  ＴＲ＿Ｎ２がＯＮとなる。
前記回路Ｋ３Ａ及び回路Ｋ４Ａにより、前記励磁モータ８５の／Φ１側へのモータ用電源ＶＭは、前記ＮチャンネルＭＯＳＦＥＴ  ＴＲ＿Ｎ２を通ってグランドに流れる。
このように、時間Ｔ２においては、前記励磁モータ８５のΦ１側へのモータ用電源ＶＭが、前記抵抗Ｒ１を通る経路ｕ２Ａで前記励磁モータ８５のΦ１側へ流れ、前記抵抗Ｒ１で小さくされた電流により、前記励磁モータ８５には正転方向への駆動力が弱励磁状態で働き、前記駆動体８１を、正面側が前記外面８１Ｂとなった停止位置で保持する。
【００５６】
時間Ｔ３の状態について説明する。時間Ｔ３では、入力ポートＩＮ１の制御信号ｆ１がＬレベル、入力ポートＩＮ２の制御信号ｆ２がＨレベル、入力ポートＩＮ３の制御信号ｆ３がＨレベル、入力ポートＩＮ４の制御信号ｆ４がＬレベルとされる。
【００５７】
前記入力ポートＩＮ１に対する回路Ｋ１Ａでは、前記制御信号ｆ１がＬレベルとされることにより、前記ＮチャンネルＭＯＳＦＥＴ  ＴＲ＿Ｎ３と、前記ＰチャンネルＭＯＳＦＥＴ  ＴＲ＿Ｐ１が何れもＯＦＦになる。
前記入力ポートＩＮ２に対する回路Ｋ２Ａでは、前記制御信号ｆ２がＨレベルとされることにより、前記ＮチャンネルＭＯＳＦＥＴ  ＴＲ＿Ｎ１がＯＮとなる。
前記回路Ｋ１Ａ及び回路Ｋ２Ａにより、前記励磁モータ８５のΦ１側へのモータ用電源ＶＭが、前記抵抗Ｒ１及び前記ＮチャンネルＭＯＳＦＥＴ  ＴＲ＿Ｎ１を通ってグラウンドに流れる。
【００５８】
前記入力ポートＩＮ３に対する回路Ｋ３Ａでは、前記制御信号ｆ３がＨレベルとされることにより、前記ＮチャンネルＭＯＳＦＥＴ  ＴＲ＿Ｎ４と、前記ＰチャンネルＭＯＳＦＥＴ  ＴＲ＿Ｐ２が何れもＯＮになる。
前記入力ポートＩＮ４に対する回路Ｋ４Ａでは、前記制御信号ｆ４がＬレベルとされることにより、前記ＮチャンネルＭＯＳＦＥＴ  ＴＲ＿Ｎ２がＯＦＦとなる。
前記回路Ｋ３Ａ及び回路Ｋ４Ａにより、前記励磁モータ８５の／Φ１側へのモータ用電源ＶＭは、前記ＰチャンネルＭＯＳＦＥＴ  ＴＲ＿Ｐ２を通る経路ｕ３Ａで前記励磁モータ８５の／Φ１側へ流れる。
このように、時間Ｔ３においては、前記励磁モータ８５の／Φ１側へのモータ用電源ＶＭが、前記ＰチャンネルＭＯＳＦＥＴ  ＴＲ＿Ｐ２を通る経路ｕ３で前記励磁モータ８５の／Φ１側へ流れ、前記励磁モータ８５を強励磁状態で逆転させ、前記駆動体８１を前記外面８１Ｂが正面側の状態から前記８１Ａが正面側となる元の停止位置まで回転させる。
【００５９】
時間Ｔ４の状態について説明する。時間Ｔ４では、入力ポートＩＮ１の制御信号ｆ１がＬレベル、入力ポートＩＮ２の制御信号ｆ２がＨレベル、入力ポートＩＮ３の制御信号ｆ３がＬレベル、入力ポートＩＮ４の制御信号ｆ４がＬレベルとされる。
【００６０】
前記入力ポートＩＮ１に対する回路Ｋ１Ａでは、前記制御信号ｆ１がＬレベルとされることにより、前記ＮチャンネルＭＯＳＦＥＴ  ＴＲ＿Ｎ３と、前記ＰチャンネルＭＯＳＦＥＴ  ＴＲ＿Ｐ１が何れもＯＦＦになる。
前記入力ポートＩＮ２に対する回路Ｋ２Ａでは、前記制御信号ｆ２がＨレベルとされることにより、前記ＮチャンネルＭＯＳＦＥＴ  ＴＲ＿Ｎ１がＯＮとなる。
前記回路Ｋ１Ａ及び回路Ｋ２Ａにより、前記励磁モータ８５のΦ１側へのモータ用電源ＶＭが、前記抵抗Ｒ１及び前記ＰチャンネルＭＯＳＦＥＴ  ＴＲ＿Ｎ１を通ってグラウンドに流れる。
【００６１】
前記入力ポートＩＮ３に対する回路Ｋ３Ａでは、前記制御信号ｆ３がＬレベルとされることにより、前記ＮチャンネルＭＯＳＦＥＴ  ＴＲ＿Ｎ４と、前記ＰチャンネルＭＯＳＦＥＴ  ＴＲ＿Ｐ２が何れもＯＦＦになる。
前記入力ポートＩＮ４に対する回路Ｋ４Ａでは、前記制御信号ｆ４がＬレベルとされることにより、前記ＮチャンネルＭＯＳＦＥＴ  ＴＲ＿Ｎ２がＯＦＦとなる。
前記回路Ｋ３Ａ及び回路Ｋ４Ａにより、前記励磁モータ８５の／Φ１側へのモータ用電源ＶＭは、前記抵抗Ｒ２を通る経路ｕ４Ａで前記励磁モータ８５の／Φ１側へ流れる。
このように、時間Ｔ４においては、前記励磁モータ８５の／Φ１側へのモータ用電源ＶＭが、前記抵抗Ｒ２を通る経路ｕ４で前記励磁モータ８５の／Φ１側へ流れ、前記抵抗Ｒ２で小さくされた電流により、前記励磁モータ８５には弱励磁状態で逆転方向への駆動力が働き、前記駆動体８１を、正面側が前記外面８１Ａとなった停止位置で保持する。
【００６２】
前記第１例では、制御信号ｆ１と制御信号ｆ３の経路には、それぞれＮチャンネルＭＯＳＦＥＴとＰチャンネルＭＯＳＦＥＴを設ける一方、制御信号ｆ２と制御信号ｆ４の経路には、それぞれＮチャンネルＭＯＳＦＥＴを設けて、制御信号ｆ１〜ｆ４のレベル状態を制御することにより、前記駆動体８１を変位させる際に前記励磁モータ８５を強励磁状態にする一方、前記駆動体８１を停止位置で保持する際には前記励磁モータ８５を弱励磁状態にするため、前記駆動モータ８５の通電状態を続けても前記駆動モータ８５の発熱を抑えることができる。また、前記駆動体８１を停止位置で保持する際に、前記励磁モータ８５を弱励磁状態で作動させるため、前記駆動体８１が振動や自重等で変位する虞がない。
【００６３】
図７に第２例の駆動制御回路部２０６Ｂを示す。第２例では前記励磁モータ８５をユニポーラ駆動させる。
前記駆動制御回路部２０６Ｂは、モータドライバＩＣ１を備え、前記モータドライバＩＣ１は、入力ポートＩＮ１、入力ポートＩＮ２、ＯＵＴ１、ＯＵＴ２を有する。前記モータドライバＩＣ１のＯＵＴ１は前記励磁モータ８５のΦ１側と接続され、前記ＯＵＴ１と前記励磁モータ８５のΦ１側間が抵抗Ｒ１を介してモータ用電源ＶＭと接続されている。前記モータドライバＩＣ１のＯＵＴ２は前記励磁モータ８５の／Φ１側と接続され、前記ＯＵＴ２と前記励磁モータ８５の／Φ１側間が抵抗Ｒ２を介してモータ用電源ＶＭと接続されている。また、前記モータドライバＩＣ１は、ＶＭ端子にモータ用電源ＶＭが接続され、ＧＮＤ端子はＧＮＤと接続されている。
【００６４】
また、前記駆動制御回路部２０６Ｂは、入力ポートＩＮ３と入力ポート４を備えている。
前記入力ポートＩＮ３にはＮチャンネルＭＯＳＦＥＴ  ＴＲ＿Ｎ１のゲート側が接続されている。前記ＮチャンネルＭＯＳＦＥＴ  ＴＲ＿Ｎ１は、ドレイン側が、前記モータドライバのＯＵＴ１と前記励磁モータ８５のΦ１側を接続する配線における前記ＯＵＴ１と前記抵抗Ｒ１の一端間に接続され、またソース側がＧＮＤと接続されている。
前記入力ポートＩＮ４にはＮチャンネルＭＯＳＦＥＴ  ＴＲ＿Ｎ２のゲート側が接続されている。前記ＮチャンネルＭＯＳＦＥＴ  ＴＲ＿Ｎ２は、ドレイン側が、前記モータドライバのＯＵＴ２と前記励磁モータ８５の／Φ１側を接続する配線における前記抵抗Ｒ２の一端と前記励磁モータの／Φ１間に接続され、またソース側がＧＮＤと接続されている。
【００６５】
前記入力ポートＩＮ１〜ＩＮ４には、図８のタイムチャートに示すように制御信号ｆ１〜ｆ４が入力する。図８におけるモータ欄の「ＣＷ」は前記励磁モータ８５の正転（正回転）、「ＣＣＷ」は前記励磁モータ８５の逆転（逆回転）を示す。時間Ｔ１では、前記励磁モータ８５が正転し、前記駆動体８１は、正面側がそれまでの前記外面８１Ａから前記外面８１Ｂに変位する。時間Ｔ２では、前記駆動体８１は、正面側が前記外面８１Ｂの状態で保持される。時間Ｔ３では、前記励磁モータ８５が逆転し、前記駆動体８１は、正面側がそれまでの前記外面８１Ｂから前記外面８１Ａに変位する。時間Ｔ４では、前記駆動体８１は、正面側が前記外面８１Ａの状態で保持される。
また、前記モータドライバＩＣ１は、入力ポートＩＮ１、ＩＮ２に入力する制御信号のレベルＨ、Ｌの組み合わせによって、図９の制御論理表に示すように作動する。
【００６６】
時間Ｔ１の状態について説明する。時間Ｔ１では、入力ポートＩＮ１の制御信号ｆ１がＨレベル、入力ポートＩＮ２の制御信号ｆ２がＬレベル、入力ポートＩＮ３の制御信号ｆ３がＬレベル、入力ポートＩＮ４の制御信号ｆ４がＨレベルとされる。
【００６７】
前記モータドライバＩＣ１の入力ポートＩＮ１に前記制御信号ｆ１がＨレベル、入力ポートＩＮ２に前記制御信号ｆ２がＬレベルで入力するため、表９の制御論理表に示すように、前記励磁モータ８５は正転状態に制御され、前記励磁モータ８５のΦ１側に前記モータ用電源ＶＭが供給される。
前記入力ポートＩＮ３の経路では、前記制御信号ｆ３がＬレベルで入力することにより、前記ＮチャンネルＭＯＳＦＥＴ  ＴＲ＿Ｎ１がＯＦＦとなる。
前記入力ポートＩＮ４の経路では、前記制御信号がＨで入力することにより、前記ＮチャンネルＭＯＳＦＥＴ  ＴＲ＿Ｎ２がＯＮになり、前記励磁モータ８５の／Φ１側へのモータ用電源ＶＭは、前記Ｒ２を経て前記ＮチャンネルＭＯＳＦＥＴ  ＴＲ＿Ｎ２を通り、ＧＮＤへ流れる。
このように、時間Ｔ１においては、前記励磁モータ８５のΦ１側へモータ用電源ＶＭが流れ、前記励磁モータ８５を強励磁状態で正転させ、前記駆動体８１を前記外面８１Ａが正面側の状態から前記８１Ｂが正面側となる停止位置まで回転させる。
【００６８】
時間Ｔ２の状態について説明する。時間Ｔ２では、入力ポートＩＮ１の制御信号ｆ１がＬレベル、入力ポートＩＮ２の制御信号ｆ２がＬレベル、入力ポートＩＮ３の制御信号ｆ３がＬレベル、入力ポートＩＮ４の制御信号ｆ４がＨレベルとされる。
【００６９】
前記モータドライバＩＣ１の入力ポートＩＮ１に前記制御信号ｆ１がＬレベル、入力ポートＩＮ２に前記制御信号ｆ２がＬレベルで入力するため、表９の制御論理表に示すように、前記励磁モータ８５のΦ１及び／Φ１には、前記モータドライバＩＣ１からのモータ用電源ＶＭが非供給になる。そのため、前記励磁モータ８５のΦ１側へのモータ用電源ＶＭは、前記抵抗Ｒ１を経て前記励磁モータ８５のΦ１側に供給される。また、前記励磁モータ８５の／Φ１側には、前記モータ用電源ＶＭが前記抵抗Ｒ２を経て供給可能になるが、前記Ｒ２を通ってきた前記モータ用電源ＶＭは、後記のように前記ＮチャンネルＭＯＳＦＥＴ  ＴＲ＿Ｎ２を通ってＧＮＤへ流れ、前記励磁モータ８５の／Φ１側に供給されない。
【００７０】
前記入力ポートＩＮ３の経路では、前記制御信号ｆ３がＬレベルで入力することにより、前記ＮチャンネルＭＯＳＦＥＴ  ＴＲ＿Ｎ１がＯＦＦとなる。
前記入力ポートＩＮ４の経路では、前記制御信号がＨで入力することにより、前記ＮチャンネルＭＯＳＦＥＴ  ＴＲ＿Ｎ２がＯＮになり、前記励磁モータ８５の／Φ１側へのモータ用電源ＶＭは前記抵抗Ｒ２を経て前記ＮチャンネルＭＯＳＦＥＴ  ＴＲ＿Ｎ２を通り、ＧＮＤへ流れる。
このように、時間Ｔ２においては、前記励磁モータ８５のΦ１側へのモータ用電源ＶＭが、前記抵抗Ｒ１を通って前記励磁モータ８５のΦ１側へ流れ、前記抵抗Ｒ１で小さくされた電流により、前記励磁モータ８５には正転方向への駆動力が弱励磁状態で働き、前記駆動体８１を、正面側が前記外面８１Ｂとなった停止位置で保持する。
【００７１】
時間Ｔ３の状態について説明する。時間Ｔ３では、入力ポートＩＮ１の制御信号ｆ１がＬレベル、入力ポートＩＮ２の制御信号ｆ２がＨレベル、入力ポートＩＮ３の制御信号ｆ３がＨレベル、入力ポートＩＮ４の制御信号ｆ４がＬレベルとされる。
【００７２】
前記モータドライバＩＣ１の入力ポートＩＮ１に前記制御信号ｆ１がＬレベル、入力ポートＩＮ２に前記制御信号ｆ２がＨレベルで入力するため、表９の制御論理表に示すように、前記励磁モータ８５は逆転状態に制御され、前記励磁モータ８５の／Φ１側に前記モータ用電源ＶＭが供給される。
【００７３】
前記入力ポートＩＮ３の経路では、前記制御信号ｆ３がＨレベルで入力することにより、前記ＮチャンネルＭＯＳＦＥＴ  ＴＲ＿Ｎ１がＯＮとなり、前記励磁モータ８５のΦ１側用のモータ用電源ＶＭが抵抗Ｒ１を経て前記ＮチャンネルＭＯＳＦＥＴ  ＴＲ＿Ｎ１を通り、ＧＮＤへ流れる。
前記入力ポートＩＮ４の経路では、前記制御信号がＬで入力することにより、前記ＮチャンネルＭＯＳＦＥＴ  ＴＲ＿Ｎ２がＯＦＦになる。
このように、時間Ｔ３においては、前記モータドライバＩＣ１側から前記励磁モータ８５の／Φ１側へモータ用電源ＶＭが流れ、前記励磁モータ８５を強励磁状態で逆転させ、前記駆動体８１を前記外面８１Ｂが正面側の停止位置から前記８１Ａが正面側となる停止位置まで回転させる。
【００７４】
時間Ｔ４の状態について説明する。時間Ｔ４では、入力ポートＩＮ１の制御信号ｆ１がＬレベル、入力ポートＩＮ２の制御信号ｆ２がＬレベル、入力ポートＩＮ３の制御信号ｆ３がＨレベル、入力ポートＩＮ４の制御信号ｆ４がＬレベルとされる。
【００７５】
前記モータドライバＩＣ１の入力ポートＩＮ１に前記制御信号ｆ１がＬレベル、入力ポートＩＮ２に前記制御信号ｆ２がＬレベルで入力するため、表９の制御論理表に示すように、ＯＵＴ１及びＯＵＴ２はＯＦＦとなり、前記モータドライバＩＣ１側から前記励磁モータ８５のΦ１側及び／Φ１側に電流が流れない状態に制御される。
【００７６】
前記入力ポートＩＮ３の経路では、前記制御信号ｆ３がＨレベルで入力することにより、前記ＮチャンネルＭＯＳＦＥＴ  ＴＲ＿Ｎ１がＯＮとなり、前記励磁モータ８５のΦ１側用のモータ用電源ＶＭが抵抗Ｒ１を経て前記ＮチャンネルＭＯＳＦＥＴ  ＴＲ＿Ｎ１を通り、ＧＮＤへ流れる。
前記入力ポートＩＮ４の経路では、前記制御信号がＬで入力することにより、前記ＮチャンネルＭＯＳＦＥＴ  ＴＲ＿Ｎ２がＯＦＦになり、前記励磁モータ８５の／Φ１側用のモータ用電源ＶＭが抵抗Ｒ２を経て前記励磁モータ８５の／Φ１側へ流れる。
【００７７】
このように、時間Ｔ４においては、前記モータ用電源ＶＭが、前記抵抗Ｒ２を通って前記励磁モータ８５の／Φ１側へ流れ、前記抵抗Ｒ２で小さくされた電流により、前記励磁モータ８５には逆転方向への駆動力が弱励磁状態で働き、前記駆動体８１を、正面側が前記外面８１Ａとなった停止位置で保持する。
【００７８】
前記第２例では、制御信号ｆ１と制御信号ｆ２の経路にモータドライバを設ける一方、制御信号ｆ３と制御信号ｆ４の経路にはＭＯＳＦＥＴを設けて、制御信号ｆ１〜ｆ４のレベル状態を制御することにより、前記駆動体８１を変位させる際に前記励磁モータ８５を強励磁状態にする一方、前記駆動体８１を停止位置で保持する際には前記励磁モータ８５を弱励磁状態にするため、前記駆動モータ８５の通電状態を続けても前記駆動モータ８５の発熱を抑えることができる。また、前記駆動体８１を停止位置で保持する際に、前記励磁モータ８５を弱励磁状態で作動させるため、前記駆動体８１が振動や自重等で変位する虞がない。
【００７９】
図１０に第３例の駆動制御回路部２０６Ｃを示す。第３例では前記励磁モータ８５をバイポーラ駆動させる。
前記駆動制御回路部２０６Ｃは、モータドライバＩＣ１を備える。前記モータドライバＩＣ１は、入力ポートＩＮ１、入力ポートＩＮ２、ＯＵＴ１、ＯＵＴ２を有する。前記モータドライバＩＣ１のＯＵＴ１は抵抗Ｒを介して前記励磁モータ８５のΦ１側と接続されている。前記モータドライバＩＣ１のＯＵＴ２は前記励磁モータ８５の／Φ１側と接続されている。また、前記モータドライバＩＣ１は、ＶＭ端子にモータ用電源ＶＭが接続され、ＧＮＤ端子はＧＮＤと接続されている。
【００８０】
前記入力ポートＩＮ１とＩＮ２には、図１１のタイムチャートに示すように制御信号ｆ１とｆ２が入力する。図１１におけるモータ欄の「ＣＷ」は前記励磁モータ８５の正転（正回転）、「ＣＣＷ」は前記励磁モータ８５の逆転（逆回転）を示す。時間Ｔ１では、前記励磁モータ８５が正転し、前記駆動体８１は、正面側がそれまでの前記外面８１Ａから前記外面８１Ｂに変位する。時間Ｔ２では、前記励磁モータ８５が逆転し、前記駆動体８１は、正面側がそれまでの前記外面８１Ｂから前記外面８１Ａに変位する。
また、前記モータドライバＩＣ１は、入力ポートＩＮ１、ＩＮ２に入力する制御信号のレベルＨ、Ｌの組み合わせによって、図９の制御論理表に示すように作動する。
【００８１】
時間Ｔ１の状態について説明する。時間Ｔ１では、前記モータドライバＩＣ１の入力ポートＩＮ１に前記制御信号ｆ１がＨレベル、入力ポートＩＮ２に前記制御信号ｆ２がＬレベルで入力するため、表９の制御論理表に示すように、前記励磁モータ８５は正転状態に制御され、前記励磁モータ８５のΦ１側に前記モータ用電源ＶＭが前記抵抗Ｒを通り、前記抵抗Ｒにより小さくされた状態で供給され、前記駆動体８１を前記外面８１Ａが正面側の状態から前記８１Ｂが正面側となる停止位置まで回転（正転）させる。
【００８２】
時間Ｔ２の状態について説明する。時間Ｔ２では、入力ポートＩＮ１に制御信号ｆ１がＬレベル、入力ポートＩＮ２に制御信号ｆ２がＨレベルで入力するため、表９の制御論理表に示すように、前記励磁モータ８５は逆転状態に制御され、前記励磁モータ８５の／Φ１側に、前記モータ用電源ＶＭが供給される。前記励磁モータ８５と前記モータドライバＩＣ１を結ぶ回路には、前記抵抗Ｒが設けられているため、前記励磁モータ８５の／Φ１側には、前記抵抗Ｒにより小さくされた状態で供給され、前記駆動体８１を前記外面８１Ｂが正面側の状態から前記８１Ａが正面側となる停止位置まで回転（逆転）させる。
【００８３】
このように第３例は、制御信号ｆ１とｆ２の経路にモータドライバＩＣ１を設けると共に、前記モータドライバＩＣ１と前記励磁モータ８５との間に抵抗Ｒを設け、前記制御信号ｆ１とｆ２のレベル状態の制御により前記駆動体８１を正転及び逆転させる際に、前記励磁モータ８５に本来のモータ用電源ＶＭよりも前記抵抗Ｒで小さくした電流を流すように構成している。そのため、前記第３例では、前記駆動モータ８５の通電状態を続けても前記駆動モータ８５の発熱を抑えることができる。また、前記駆動体８１を停止位置で保持する際も、前記励磁モータ８５が、前記抵抗Ｒで小さくされた電流によって作動しているため、前記駆動体８１が振動や自重等で変位する虞がない。
【００８４】
表示制御基板２１０は、ＣＰＵ、ＲＯＭ、ＲＡＭを備えたマイクロコンピュータと、前記サブ制御基板２０５を結ぶ入力回路と前記表示装置１０を結ぶ出力回路等で構成され、前記サブ制御基板２０５から送信された制御信号に基づいて、前記表示装置１０における表示の制御を行う。前記表示制御基板２１０のＲＯＭには制御用のプログラムが記憶されている。前記表示制御基板２１０は、前記サブ制御基板２０５からの指令信号に基づき、表示制御御基板２１０のＣＰＵがＲＯＭから所定の表示制御データを読み出し、ＲＡＭの記憶領域で制御用データを生成してＶＤＰ（図示せず）に出力する。ＶＤＰは、ＣＰＵからの指令に基づいてＲＯＭから必要なデータを読み出し、表示画像のマップデータを作成し、ＶＲＡＭに格納する。ＶＲＡＭに格納記憶された画像データは、出力回路に備えるＤ／Ａ変換回路にてＲＧＢ信号に変換されて表示装置１０に出力される。
【００８５】
音声制御基板２２０は、前記サブ制御基板２０５から出力される信号により音声信号を合成し、アンプに出力する。アンプは音声信号を増幅してスピーカ３８に出力する。
【００８６】
払出制御基板２４０は、遊技球の払出を制御する払出制御手段に相当し、ＣＰＵ、ＲＯＭ、ＲＡＭを備えたマイクロコンピュータを有する。前記払出制御基板２４０は前記主制御基板２００と電気的接続手段で接続され、前記主制御基板２００から出力される指令信号を受信して払出装置２８１を制御する。前記払出制御基板２４０は電源基板２５０から供給される電源によって作動する。前記払出制御基板２４０のＲＯＭには制御用のプログラムが記憶されている。前記払出制御基板２４０のＲＡＭは、種々の入賞口（入賞装置）への入賞検出に基づき前記払出装置２８１により払い出される賞品球（遊技球）の払出個数を、１入賞球の検出に対する払出個数毎に記憶可能となっている。
【００８７】
前記払出装置２８１は、払出モータの駆動によって回転する払出スクリューを備え、前記球誘導樋２９１から誘導されてきて払出装置２８１に至った遊技球を払出スクリューの羽根部分に乗せて払出スクリューが回転することにより徐々に下方へ移動させて遊技球の払い出し行うように構成されている。前記球誘導樋２９１と払出装置２８１の間における遊技球の流路に遊技球の存否を検出する前記球無しセンサ２８３が設けられている。前記払出装置２８１の球出口には、前記払出装置２８１から払い出された遊技球を検出する払出センサが設けられている。
【００８８】
電源基板２５０は、遊技機１の外部より供給される主電源から遊技機１に適する所定電圧の遊技機用電源を生成して主制御基板（遊技制御装置）２００やサブ制御基板２０５、払出制御基板２４０等に供給するものであり、電源装置に相当する。前記主電源は、遊技店側で所要の電圧に変換されて供給される。
発射制御基板２６０は、前記発射装置６４における発射モータの制御を行う。
【００８９】
前記主制御基板２００に設けられる乱数用カウンタとして、大当たり乱数用カウンタ、大当たり図柄乱数用カウンタ、リーチ乱数用カウンタ、特別図柄データ乱数用カウンタ、変動態様乱数用カウンタ、普通図柄乱数用カウンタ等がある。
【００９０】
大当たり乱数用カウンタは、当否判定手段による大当たりの判定に用いられ、‘０’〜‘６２９’の乱数からなる。前記大当たり乱数用カウンタの乱数（大当たり乱数）は、遊技機の電源投入時に ‘０’から始まって後述の普通図柄・特別図柄主要乱数更新処理ごとに１加算され、‘６２９’に至ると次には‘０’にされて再び前記加算を繰り返すようになっている。大当たり乱数値は前記上側始動入賞口４１あるいは下側始動入賞口４２への入賞に起因して取得され、その取得値が低確率（２／６３０（１／３１５））状態時には大当たり成立数値として設定されている‘３’〜‘４’の何れかと一致すれば大当たりとなり、一方高確率（１２／６３０（６／３１５））状態時には、大当たり成立数値として設定されている‘３’〜‘１４’の何れかと一致すれば大当たりとなる。
【００９１】
大当たり図柄乱数用カウンタは、大当たりの当否判定結果が当たりの場合に、前記特別図柄表示部１１に確定停止して揃う大当たり図柄組合せを決定するものであり、‘０’〜‘９’の乱数からなる。この大当たり図柄乱数値は、電源投入時に‘１’から始まって後述の普通図柄・特別図柄主要乱数更新処理ごとに１加算され、‘９’に至ると次には‘０’にされて再び前記加算を繰り返すようになっている。大当たり図柄乱数値は前記上側始動入賞口４１又は下側始動入賞口４２への入賞に起因して取得される。前記大当たり図柄乱数値には、大当たりの当否判定結果が当たりの場合に、前記特別図柄表示部１１で停止表示される大当たり図柄組合せが割り当てられている。本実施例では、‘０’の場合には大当たり図柄組合せが‘０，０，０’となる０のぞろ目（全図柄同一）、‘１’の場合には大当たり図柄組合せが‘１，１，１’となる１のぞろ目（全図柄同一）、‘２’の場合には‘２，２，２’となる２のぞろ目、‘３’の場合には‘３，３，３’となる３のぞろ目、‘４’の場合には‘４，４，４’となる４のぞろ目、‘５’の場合には‘５，５，５’となる５のぞろ目、‘６’の場合には‘６，６，６’となる６のぞろ目、‘７’の場合には‘７，７，７’となる７のぞろ目、‘８’の場合には‘８，８，８’となる８のぞろ目、‘９’の場合には‘９，９，９’となる９のぞろ目からなる大当たり図柄組合せが割り当てられている。
【００９２】
また、本実施例では、前記大当たり図柄乱数は、大当たりの場合に確変の決定にも用いられる。確変（確変大当たり）は、大当たり遊技（特別遊技）の終了後、次に大当たりの当否判定によって大当りと判定されるまで、大当たりの確率が前記高確率とされる。なお、確変ではない通常大当たり場合には、大当たり遊技（特別遊技）の終了後、次に大当たりの当否判定によって大当りと判定されるまで、大当たりの確率が前記低確率とされる。本実施例では、当否判定結果が大当たりであって前記大当たり図柄乱数が‘１’、‘３’、‘６’、‘７’、‘８’、‘９’の場合に、すなわち前記特別図柄表示部１１に停止表示される大当たり図柄の組み合わせが『１，１，１』、『３，３，３』、『６，６，６』、『７，７，７』、『８，８，８』、『９，９，９』の場合に確変（高確率）となる。確変（高確率）状態になると、前記下側始動入賞口４２の開放（拡開）時間が、低確率（通常遊技）状態の１秒から２秒に長くなり、かつ開放（拡開）回数が低確率（通常遊技）状態の１回から３回に増え、さらに、普通図柄当たりの確率が低確率（通常遊技）状態の１／１２５から１２５／１２６に増加する。一方、当否判定結果が大当たりであって前記大当たり図柄乱数が‘０’、‘２’、‘４’、‘５’の場合に、すなわち前記特別図柄表示部１１に停止表示される大当たり図柄の組み合わせが『０，０，０』、『２，２，２』、『４，４，４』、『５，５，５』の何れかの場合に低確率（通常）となる。
【００９３】
リーチ乱数用カウンタは、前記大当たり乱数値による大当たりの当否判定結果が外れとなる場合において、リーチ状態を経るか否かを決めるリーチ有無決定用のものであり、‘０’〜‘１２６’の乱数からなる。本実施例におけるリーチ状態は、前記特別図柄表示部１１で変動停止表示される左特別図柄、中特別図柄及び右特別図柄のうち、最後に停止表示される特別図柄（例えば中特別図柄）を除いて他の特別図柄（例えば左特別図柄と右特別図柄）が同一となる状態（最終停止図柄を除いて大当たりの特別図柄組合せと等しくなる状態であり、最終的に大当たりの特別図柄組合せとなる場合と外れの特別図柄組合せとなる場合が含まれる状態）をいう。このリーチ乱数用カウンタの乱数（リーチ乱数）は、遊技機１の電源投入時に、‘０’から始まり、後述の普通図柄・特別図柄主要乱数更新処理ごとに１ずつ加算され、数値が‘１２６’に至ると、次に‘０’にされて再び前記加算を繰り返すようになっている。リーチ乱数は、前記上側始動入賞口４１あるいは下側始動入賞口４２への入賞に起因して取得され、当否判定結果が外れの場合に、その数値が予め決定されているリーチ成立数値と対比されてリーチ有無が判断される。本実施例ではリーチ成立数値は、‘５’〜‘１５’に設定されている。
【００９４】
特別図柄データ乱数用カウンタは、前記大当たり乱数値による大当たり判定結果が外れとなる場合において、前記特別図柄表示部１１に停止表示する外れの特別図柄組合せの決定に用いられるものであり、前記特別図柄表示部１１に停止表示する左特別図柄を決定する特別図柄データ１の乱数用カウンタと、中特別図柄を決定する特別図柄データ２の乱数用カウンタと、右特別図柄を決定する特別図柄データ３の乱数用カウンタとより構成され、各特別図柄データ乱数用カウンタは、‘０’〜‘８’の乱数からなる。
【００９５】
前記特別図柄データ１の乱数は、電源投入時に、‘０’から始まって後述の普通図柄・特別図柄主要乱数更新処理ごとに ‘１’ずつ加算され、‘９’に至ると、次に‘０’に書き換えられて再び前記加算が繰り返される。また、前記特別図柄データ２の乱数は、電源投入時に‘０’から始まって、前記特別図柄データ１の乱数が‘０’に書き換えられる際に‘１’ずつ加算され、‘９’に至ると、次に‘０’に書き換えられて再び前記加算が繰り返される。さらに、前記特別図柄データ３の乱数は、電源投入時あるいはリセット処理後に‘０’から始まって、前記特別図柄データ２の乱数が‘０’に書き換えられる際に‘１’ずつ加算され、‘９’に至ると、次に‘０’に書き換えられて再び前記加算が繰り返される。これによって、特別図柄データ１〜３の乱数範囲が同一であっても、当該特別図柄データ１〜３の乱数が同期（同一の組合せで加算）するのを避けることができる。
【００９６】
前記特別図柄データ１〜３の各乱数は‘０’の場合には０、‘１’の場合には１、‘２’の場合には２というように、当否判定結果の外れ時に前記特別図柄表示部１１に停止表示される左特別図柄、中特別図柄、右特別図柄からなる識別情報が割り当てられている。前記特別図柄データ１〜３の乱数は、前記上側始動入賞口４１又は下側始動入賞口４２への入賞に起因して取得され、取得した特別図柄データ１〜３の乱数の組合せによって、外れ時に前記特別図柄表示部１１に表示される左特別図柄、中特別図柄、右特別図柄からなる識別情報が定まる。
【００９７】
変動態様乱数用カウンタは、前記特別図柄表示部１１における特別図柄の表示態様を含めた変動態様を変動態様テーブルから選択する際に用いられるものであり、‘０’〜‘１９８’の変動態様乱数値を備える。なお、「特別図柄の表示態様を含めた変動態様」とは、特別図柄などの演出表示態様、例えば特別図柄を上下方向あるいは横方向又は斜め方向等へ移動させたり、特別図柄を回転させたり、特別図柄を拡縮等させたりする変動表示態様や背景画像の前で演出表示されるキャラクター図柄の演出画像の変動表示態様をいう。この変動態様乱数値は、遊技機１の電源投入時に、‘０’から始まり、後述の普通図柄・特別図柄主要乱数更新処理ごとに１ずつ加算され、数値が‘１９８’に至ると、次に‘０’にされて再び前記加算を繰り返すようになっている。前記変動態様乱数用カウンタの乱数値（変動態様乱数値）は、前記上側始動入賞口４１あるいは下側始動入賞口４２への入賞に起因して取得される。具体的には、主制御基板２００のＲＡＭに記憶されている特別図柄保留球数が１以上の場合に取得される。
【００９８】
変動態様テーブルは複数設けられている。各テーブルは、前記特別図柄表示部１１に表示する特別図柄の変動態様の複数で構成されており、前記主制御基板２００のＲＯＭに記憶されている。前記変動態様テーブルからの変動態様の選択は、本実施例では、当否判定結果が当たりか外れか及びリーチ有無に応じて選択された変動態様テーブルから、変動態様乱数値に基づいて１つの変動態様が選択されるようになっている。なお、変動態様テーブル内の各変動態様には変動態様乱数値が割り当てられており、取得した変動態様乱数値と対応する変動態様が選択される。また、各変動態様には特別図柄を所定の表示態様で変動表示させる変動時間がそれぞれ設定されており、変動開始時に予め変動時間が定められる。
【００９９】
なお、取得された大当たり乱数値、大当たり図柄乱数値、リーチ乱数値、変動態様乱数値については、それぞれ最大４個、前記主制御基板２００のＲＡＭにおける該当領域に前記保留球数と対応させて格納され、順次使用される。
【０１００】
普通図柄乱数用カウンタは、普通図柄当たりを判定するもので、遊技機１の電源投入時に、‘０’から始まって後述の普通図柄・特別図柄主要乱数更新処理ごとに ‘１’ずつ加算され、‘１２５’に至ると、次に‘０’に書き換えられて再び前記加算が繰り返される。この普通図柄乱数値は、前記普通図柄変動開始用ゲート５５を通過した遊技球を前記普通図柄変動開始スイッチで検出するごとに取得され、最大４個まで前記主制御基板２００のＲＡＭの普通図柄乱数値記憶領域に格納される。前記普通図柄変動開始用ゲート５５を遊技球が通過することに起因して取得された普通図柄乱数値が、低確率（通常遊技）状態時には普通図柄当たり成立数値として設定されている‘５’と一致すれば普通図柄当たりとなり、一方、確変（高確率遊技）状態時には普通図柄当たり成立数値として設定されている‘１’〜‘１２５’と一致すれば普通図柄当たりとなる。
【０１０１】
前記遊技機１の遊技を簡略に説明する。前記遊技機１では、遊技領域６へ向けて発射装置６４により発射された遊技球が、前記種々の入賞口に入賞すると入賞口に応じた所定数の遊技球が賞球として前記払出装置２８１から上側球受け皿３６に払い出される。また、前記普通図柄変動開始用ゲート５５を遊技球が通過すると、普通図柄乱数が取得され、その取得乱数値に基づいて普通図柄当たりの判定が行われると共に、前記普通図柄表示部５０で普通図柄が変動を開始し、所定時間変動後に停止する。その際、普通図柄当たりの判定結果が当たりの場合には、当たり普通図柄、この例では『１』で停止し、前記下側始動入賞口４２の２つの可動片４２ａ，４２ｂが背面の始動入賞口用ソレノイドによって略垂直で入賞困難な閉状態（通常状態）から略Ｖ字形（逆ハの字形）の入賞可能な開状態に変化する。前記下側始動入賞口４２に遊技球が入賞すると、所定数の遊技球が賞球として払い出される。
【０１０２】
また、前記上側始動入賞口４１あるいは下側始動入賞口４２に遊技球が入賞すると、特別図柄保留球数が４未満であれば、特別図柄保留球数を１加算して、大当たり乱数値及び大当たり図柄乱数値、リーチ乱数値等の乱数値を取得し、前記主制御基板２００のＲＡＭに、最大４となるまで記憶される。そして、前記主制御基板２００のＲＡＭに記憶されている特別図柄保留球数が１以上であれば先に取得された大当たり乱数値に基づいて大当たりの当否判定が行われると共に、当否判定結果及び変動態様乱数値に基づいて変動態様テーブルから前記特別図柄表示部１１に表示する特別図柄の表示態様を含めた１つの変動態様が選択される。そして選択された変動態様に基づいて前記表示装置１０の特別図柄表示部１１で特別図柄の変動表示が開始される。前記特別図柄保留球数は、本実施例では前記当否判定結果に基づく特別図柄の変動表示が行われることにより前記主制御基板２００のＲＡＭから１減算される。なお、主制御基板２００のＲＡＭに記憶されている特別図柄保留球数が０の場合には、その後に前記上側始動入賞口４１あるいは下側始動入賞口４２に遊技球が入賞して、前記主制御基板２００のＲＡＭに記憶されている特別図柄保留球数が１以上となるまで、前記当否判定及び特別図柄の変動表示が行われない。
【０１０３】
選択された変動態様に設定されている変動時間の経過（変動時間の終了）により、前記特別図柄表示部１１で特別図柄が停止表示される。また、本実施例では、変動態様の選択に利用された変動態様テーブルの種類、すなわち当否判定結果が当たりの場合の変動態様テーブル、あるいはリーチを経て外れとなる（いわゆるリーチ外れ）場合の変動態様テーブル、またはリーチを伴わない外れ（いわゆるど外れ）の場合の変動態様テーブルのそれぞれに対応して定められている駆動態様において、前記制御信号による制御にしたがって前記励磁モータ８５が駆動する。
【０１０４】
前記励磁モータ８５の駆動処理は、前記主制御基板２００における変動態様の選択に応じて行われる前記サブ制御基板２０５の処理で行われる。図１２に前記サブ制御基板２０５における駆動処理Ｓ１０の例を示す。前記駆動処理Ｓ１０では、前記主制御基板２００の制御処理で送信された駆動コマンドを受信したかが判断され（Ｓ１１）、駆動コマンドを受信している場合には駆動制御処理（Ｓ１２）が行われる。前記駆動制御処理（Ｓ１２）では、前記第１〜第３例の駆動制御回路部に時間に応じた制御信号を出力する。一方、前記駆動コマンドを受信していない場合にはこの駆動処理（Ｓ１０）を終了する。
【０１０５】
前記特別図柄が所定時間変動した後、外れの場合には前記特別図柄表示部１１に左特別図柄、中特別図柄、右特別図柄が外れ図柄組み合わせ（ぞろ目以外の状態）で停止し、大当たり遊技（特別遊技）に移行することがない。
一方、当否判定結果が大当たりの場合には、前記特別図柄表示部１１に左特別図柄、中特別図柄、右特別図柄が大当たり図柄組み合わせ（本実施例ではぞろ目）で停止し、大当たり遊技（特別遊技）に移行する。
【０１０６】
大当たり遊技（特別遊技）状態になると、前記大入賞口４５の開閉板４６が開いて遊技領域６の表面を落下してくる遊技球を受け止め易くして、大入賞口４５へ入賞可能にし、該大入賞口４５への入賞があると、所定数の遊技球が賞球として払い出される。前記開閉板４６は、所定時間（例えば１５秒）経過後、或いは入賞球数が所定個数（例えば１０個）となった時点で閉じるようにされ、１５ラウンド、前記開閉板４６の開閉を繰り返す。
【０１０７】
また、本実施例では、前記特別図柄表示部１１に『０，０，０』、『２，２，２』、『４，４，４』、『５，５，５』の何れかの通常大当たり図柄組み合わせで特別図柄が停止表示されると通常大当たりとなり、大当たり遊技（特別遊技）の終了後、次に大当たりの当否判定によって大当りと判定されるまで、大当たりの確率が低確率（本実施例では（２／６３０（１／３１５））とされる。一方、前記特別図柄表示部１１に『１，１，１』、『３，３，３』、『６，６，６』、『７，７，７』、『８，８，８』、『９，９，９』の何れかの確変大当たり図柄組み合わせで特別図柄が停止表示されると確変大当たりとなり、大当たり遊技（特別遊技）の終了後、次に大当たりの当否判定によって大当りと判定されるまで、大当たりの確率が高確率（本実施例では（１２／６３０（６／３１５））に設定される。また、高確率状態になると、前記下側始動入賞口４２の開放（拡開）時間が、低確率（通常遊技）状態の１秒から２秒に長くなり、かつ開放（拡開）回数が低確率（通常遊技）状態の１回から３回に増え、さらに、普通図柄当たりの確率が低確率（通常遊技）状態の１／１２５から１２５／１２６に増加する。
【０１０８】
前記のように、本実施例では、以下の手段を有する。
手段１：駆動可能な駆動体と、前記駆動体を駆動させる励磁モータと、前記励磁モータの駆動制御を行う駆動制御手段とを備える遊技機において、前記駆動制御手段は、前記駆動体を変位させる変位状態時と前記駆動体を一定位置で保持する保持状態時との何れにおいても前記励磁モータに電流を供給し、前記励磁モータに供給する電流を少なくとも前記保持状態時で小とすることを特徴とする遊技機。
【０１０９】
手段２：駆動可能な駆動体と、前記駆動体を駆動させる励磁モータと、前記励磁モータの駆動制御を行う駆動制御手段とを備える遊技機において、前記駆動制御手段は、前記駆動体を変位させる変位状態時と前記駆動体を一定位置で保持する保持状態時の何れにおいても前記励磁モータに電流を供給し、前記励磁モータに供給する電流を前記変位状態時よりも前記保持状態時で小とすることを特徴とする遊技機。
【０１１０】
手段３：手段１または２において、前記駆動制御手段は、制御信号のレベル状態によって前記励磁モータへの電流の大小（強弱）を設定することを特徴とする遊技機。
【０１１１】
手段４：手段１または２において、前記駆動制御手段は、制御信号のｆ１乃至ｆ４の入力部を備え、前記制御信号ｆ１乃至ｆ４のレベル状態の組み合わせによって、前記励磁モータへの電流の大小（強弱）を設定することを特徴とする遊技機。
【０１１２】
手段５：手段４において、前記制御信号ｆ１の入力部とｆ２の入力部は、正転側合流部を経て前記励磁モータの正転側電流接続部と接続され、
前記正転側合流部から前記励磁モータの正転側電流接続部までの経路には、抵抗Ｒ１を介してモータ用電源ＶＭが接続され、
前記制御信号ｆ１の入力部から前記正転側合流部までの経路には前記制御信号ｆ１がＨでＯＮとなる一方ＬでＯＦＦになる第１作動部材と、前記第１作動部材がＯＮの場合にＯＮとなる第２作動部材とが直列に設けられ、前記第２作動部材にはモータ用電源ＶＭが接続されて前記第２作動部材ＯＮにより前記モータ用電源ＶＭが前記正転側合流部を経て前記励磁モータの正転側電流接続部に供給されるように構成し、
前記制御信号ｆ２の入力部から前記正転側合流部までの経路には前記制御信号ｆ２がＨでＯＮとなる一方ＬでＯＦＦになり、前記ＯＮにより前記正転側合流部をグランドと通じさせる第３作動部材が設けられ、
前記制御信号ｆ３の入力部とｆ４の入力部は、逆転側合流部を経て前記励磁モータの逆転側電流接続部と接続され、
前記逆転側合流部から前記励磁モータの逆転側電流接続部までの経路には、抵抗Ｒ２を介してモータ用電源ＶＭと接続され、
前記制御信号ｆ３の入力部から前記逆転側合流部までの経路には前記制御信号ｆ３がＨでＯＮとなる一方ＬでＯＦＦになる第４作動部材と、前記第４作動部材がＯＮの場合にＯＮとなる第５作動部材とが直列に設けられ、前記第５作動部材にはモータ用電源ＶＭが接続されて前記第５作動部材ＯＮにより前記モータ用電源ＶＭが前記逆転側合流部を経て前記励磁モータの逆転側接続部に供給されるように構成し、
前記制御信号ｆ４の入力部から前記逆転側合流部までの経路には前記制御信号ｆ４がＨでＯＮとなる一方ＬでＯＦＦになり、前記ＯＮにより前記逆転側合流部をグランドと通じさせる第６作動部材が設けられ、
前記駆動体を変位させる変位状態にする場合は、前記制御信号ｆ１をＨ、ｆ２をＬ、ｆ３をＬ、ｆ４をＨの組み合わせ、又は前記制御信号ｆ１をＬ、ｆ２をＨ、ｆ３をＨ、ｆ４をＬの組み合わせとし、
前記駆動体を保持状態にする場合は、前記制御信号ｆ１をＬ、ｆ２をＬ、ｆ３をＬ、ｆ４をＨの組み合わせ、又は前記制御信号ｆ１をＬ、ｆ２をＨ、ｆ３をＬ、ｆ４をＬの組み合わせとすることを特徴とする遊技機。
【０１１３】
手段６：手段４において、前記制御信号ｆ１の入力部とｆ２の入力部は、モータドライバに設けられ、前記モータドライバのＯＵＴ１側が前記励磁モータの正転側電流接続部と接続されると共に、前記ＯＵＴ１から前記励磁モータの正転側電流接続部までの経路には、抵抗Ｒ１を介してモータ用電源ＶＭが接続され、前記モータドライバのＯＵＴ２側が前記励磁モータの逆転側電流接続部と接続されると共に、前記ＯＵＴ２から前記励磁モータの正転側電流接続部までの経路には、抵抗Ｒ２を介してモータ用電源ＶＭが接続され、
前記モータドライバは、前記制御信号ｆ１をＨ、ｆ２をＬとすることにより前記励磁モータを正転させ、前記制御信号ｆ１をＬ、ｆ２をＨとすることにより前記励磁モータを逆転させ、前記制御信号ｆ１及びｆ２を何れもＬにすることにより前記励磁モータへの電流を停止するように制御し、
前記制御信号ｆ３の入力部は、前記制御信号ｆ３がＨでＯＮとなる一方ＬでＯＦＦになる第３作動部材と接続され、前記第３作動部材は前記モータドライバのＯＵＴ１から前記励磁モータの逆転側電流接続部への経路に接続され、前記第３作動部材のＯＮにより前記モータ用電源ＶＭが前記抵抗Ｒ１と前記第３作動部材を経てグラウンドと通じ、
前記制御信号ｆ４の入力部は、前記制御信号ｆ４がＨでＯＮとなる一方ＬでＯＦＦになる第４作動部材と接続され、前記第４作動部材は前記モータドライバのＯＵＴ２から前記励磁モータの逆転側電流接続部への経路に接続され、前記第４作動部材のＯＮにより前記モータ用電源ＶＭが前記抵抗Ｒ２と前記第４作動部材を経てグラウンドと通じるように構成され、
前記駆動体を変位させる変位状態にする場合は、前記制御信号ｆ１をＨ、ｆ２をＬ、ｆ３をＬ、ｆ４をＨとする組み合わせ、又は前記制御信号ｆ１をＬ、ｆ２をＨ、ｆ３をＨ、ｆ４をＬとする組み合わせとし、
前記駆動体を保持状態にする場合は、前記制御信号ｆ１及びｆ２を何れもＬ、ｆ３をＬ、ｆ４をＨの組み合わせ、又は前記制御信号ｆ１及びｆ２を何れもＬ、ｆ３をＨ、ｆ４をＬの組み合わせとすることを特徴とする遊技機。
【０１１４】
手段７：駆動可能な駆動体と、前記駆動体を駆動させる励磁モータと、前記励磁モータの駆動制御を行う駆動制御手段とを備える遊技機において、
前記駆動制御手段は、前記駆動体を変位させる変位状態時に前記励磁モータに変位状態時用電源を供給する変位状態時用電源供給経路と、
前記駆動体を一定位置で保持する保持状態時に前記励磁モータに保持状態時用電源を供給する保持状態時用電源供給経路と、
前記変位状態時用電源供給経路と前記保持状態時用電源供給経路とを切り替える電源供給経路切り替え手段と、
を備え、
前記保持状態時用電源供給経路には、前記励磁モータに供給する保持状態時用電源を前記変位状態時用電源供給経路の変位状態時用電源よりも小さな電流にする保持状態時用電源作成手段を備えることを特徴とする遊技機。
【０１１５】
手段８：駆動可能な駆動体と、前記駆動体を駆動させる励磁モータと、前記励磁モータの駆動制御を行う駆動制御手段と、を備える遊技機において、
前記駆動制御手段は、前記励磁モータに供給する電流を前記励磁モータの発熱を抑制するように小さくし、前記駆動体を変位させる変位状態時と前記駆動体を一定位置で保持する保持状態時との何れにおいても前記励磁モータに前記小さくした電流を供給することを特徴とする遊技機。
【０１１６】
手段９：駆動可能な駆動体と、前記駆動体を駆動させる励磁モータと、前記励磁モータの駆動制御を行う駆動制御手段と、を備える遊技機において、
前記駆動制御手段は、発熱抑制駆動用電源作成手段を備え（第３例の抵抗Ｒに相当）、前記発熱抑制駆動用電源作成手段で作成された発熱抑制駆動用電源を前記励磁モータに供給することを特徴とする遊技機。
【０１１７】
このように、本実施例では、保持状態の駆動体が自重や振動等で停止位置から動いてしまうことを抑制することができ、かつ励磁モータの発熱を抑え、励磁モータの規定温度を超えないようにすることもできる。
なお、本発明は、上記の実施例に限定されず、発明の趣旨を逸脱しない範囲で変更可能である。
【符号の説明】
【０１１８】
１  遊技機
２  遊技盤
１０  表示装置
１１  特別図柄表示部
５０  普通図柄表示部
６４  発射装置
８１  駆動体
８５  励磁モータ
【図１】
2019017792.tif 000003
【図２】
2019017792.tif 000004
【図３】
2019017792.tif 000005
【図４】
2019017792.tif 000006
【図５】
2019017792.tif 000007
【図６】
2019017792.tif 000008
【図７】
2019017792.tif 000009
【図８】
2019017792.tif 000010
【図９】
2019017792.tif 000011
【図１０】
2019017792.tif 000012
【図１１】
2019017792.tif 000013
【図１２】
2019017792.tif 000014